(57)【要約】      （修正有）【課題】全国の家庭の台所を美味しい料理を生み出す創作研究室に変えるインターネット料理レシピ情報管理システムを提供する。【解決手段】レシピ投稿者が各種端末機器とネット網を介して接続または保存される料理レシピ情報管理システムサーバを有する。レシピ投稿者は、パテントレシピ料理技術を特許として申請する為に、端末機器のレシピ登録入力画面に、１．レシピ名、２．料理の意匠登録として動画又はイラスト又は写真、３．料理レシピの詳細な説明、４．登録申請日時、５．料理レシピ考案者名をインターネット料理レシピ情報管理システムに登録する。登録された料理レシピの中から優秀なレシピが商品化されて各流通店舗で販売される。又、利用者データベースでは、利用者の利用店舗や日時や買物購入合計額などの情報データをシステムサーバのプログラムに保存され、利用された企業や店舗等での確実な顧客売上実績や顧客情報が確認できるようにする。【選択図】図１
2015210805.tif 000002
【特許請求の範囲】
【請求項１】
インターネット料理レシピ情報管理システム（仮称パテントレシピ）は、レシピ投稿者が各種スマホ・タブレット・パソコン等の端末機器とネット網を介して接続または保存される料理レシピ情報管理システムサーバです。レシピ投稿者は、パテントレシピ料理技術を料理特許として任意団体に申請する為に、端末機器のレシピ投稿入力画面に、▲１▼レシピ名  ▲２▼料理の意匠登録として動画又はイラスト、写真  ▲３▼料理レシピの詳細な説明  ▲４▼投稿申請日、時間  ▲５▼料理レシピ考案者名  ▲６▼その他情報  以上の情報を保存管理することを特徴とするインターネット料理レシピ情報管理システムです。
【請求項２】
投稿された料理レシピの中から優秀なレシピが商品化されて、各流通店舗で販売されます。お買物のレジ精算で買物レシートが渡されます。そのレシートにパテントレシピの商品が記載されていれば、スマホの「ネット宝くじ」抽選で豪華な賞品が当たるチャンスとなります。抽選は簡単です。各桁の抽選当選番号と買物購入合計額の各桁が同数になりましたら当選ですので、当選者送信ボタンを押すと、ネット宝くじ抽選システムサーバの利用者当選データベースで保存管理されます。又、利用者データベースでは、利用者の利用店舗や日時や買物購入合計額などの情報データをシステムサーバで保存され、利用された企業や店舗等での確実な顧客売上実績や、パテントレシピ商品売上や、顧客情報が確認できて投稿会員には、レシピ特許報酬が支払われるようにしたことを特徴とするインターネット料理レシピ情報管理システム（パテントレシピ）です。
【発明の詳細な説明】
【発明の詳細な説明】
【技術分野】
【０００１】本発明は、多数の人によって開発された料理レシピを各種端末機器とインターネット網を介してサーバに入力された料理レシピ情報を管理するインターネット料理レシピ情報管理システム（仮称パテントレシピ）である。
【背景技術】
【０００２】従来の料理レシピは、料理専門家が美味しいと感じる料理について、料理のレシピを雑誌やウェブサイトに説明することで雑誌等への掲載料として、料理専門家が料理レシピ公開の対価を得ていた。しかしながら、これら従来のシステムでは、料理レシピの提供者が料理専門家等の一部に限定され、家庭内で主婦が開発した料理レシピについて開示した、その対価を得ることが出来るものではなかった。現在の料理環境は、専門家の料理レシピでは一般の消費者を満足させる時代ではなくなりました。即席食品や冷凍食品などレシピいらずの完成食品が溢れる時代に、アイデア（ひらめき）の料理レシピで消費者に報酬を支払うパテントレシピの時代に変わります。
【発明が解決しようとする課題】
【０００３】本発明は、他の業界で言えば、歌の作詞作曲をすれば、本の執筆をすれば、写真を撮影すれば、そこには著作権という対価が生まれています。であれば美味しい料理を作る特殊技術にだって料理レシピ特許があっても良いのではないでしょうか！
現在はＩＴ通信時代です。多数のユーザは、各種端末機器からインターネット網を介して美味しい料理レシピを投稿できるインターネット料理レシピ情報管理システム（パテントレシピ）を構築する。今回のビジネスモデルは  料理を毎日作られている主婦の料理の隠し味や長年の知恵等を「パテントレシピＷｅｂサイト管理本部」に登録して頂き、管理本部のクックスタジオで実際に投稿された料理を試食します。応募された料理の試食の実績データを基に、パテントレシピ食品加工メーカー企業会員に、その料理の試食会とレシピの内容を開示してパテントレシピ特許料を徴収するシステムです。
【課題を解決するための手段】
【０００４】本発明のインターネット料理レシピ情報管理システムは、レシピ投稿者が各種スマホ・タブレット・パソコン等の端末機器とネット網を介して接続または保存される料理レシピ情報管理システムサーバ管理の運営です。レシピ投稿者は、パテントレシピ料理技術を特許として申請する為に、端末機器のレシピ投稿入力画面に、▲１▼レシピ名  ▲２▼料理の意匠登録として動画又は静止画  ▲３▼料理レシピの詳細な説明  ▲４▼投稿申請日、時間  ▲５▼料理レシピ考案者名  以上５点を投稿します。
【０００５】パテントレシピ管理本部への投稿方法は、通信機器端末のパテントレシピ投稿入力画面でタブレット又はパソコンで申込み。レシピ特許は先願主義（先に登録した証拠が必須です）投稿送信記録は特許パテントレシピ権利の証拠として保存をお願いします。何年何月何日パテントレシピの記録は大切な証拠となりますので  必ず投稿の際にはレシピの内容を証拠として保存をお願致します。パテントレシピ管理本部では、投稿者の料理レシピの投稿情報をシステムサーバで保存され管理されます。
【０００６】投稿された料理レシピ内容はパテントレシピ・クッククルーが試食テストを行います。
試食テスト合格の料理を全国のパテントレシピ企業会員へ新商品レシピとして、試食提案致します。食品加工メーカーやコンビニやスーパーは自社の開発セクションで再度試食を行い、優秀レシピと確認されてパテントレシピロイヤリティ契約を結びます。
【０００７】食品加工メーカーは新商品を全国の流通店舗で販売し、毎月のパテントレシピ商品の売上額に応じてロイヤリティとしてパテントレシピ管理本部に支払います。
【０００８】管理本部はｗｅｂサイトで毎日のパテントレシピ商品の売上額ランキング情報を不特定多数の消費者にお知らせします。このパテントレシピ売上ランキングとレシピ採用情報は、主婦の皆さんが毎日気になる話題の人気スマホレシピ情報番組になります。主婦のワクワク感を形にした広告媒体がパテントレシピプロジェクトです。
【０００９】パテントレシピ管理本部は、契約企業会員の販売したパテントレシピ商品売上マージンを請求し、投稿登録会員にパテントレシピロイヤリティの支払いを行います。
【発明を実施するための形態】
【００１０】本発明の実施の形態について詳細な説明をインターネット料理レシピ情報管理システム（パテントレシピ）の図に基づいて説明をします。
【００１１】このパテントレシピシステムを構成するハードウェアは、図１に示すように、１の投稿者用端末機器の２のパソコンやタブレットなどで  ３のインターネットを介して４のパテントレシピ管理本部システムサーバに接続が出来、会員登録が出来る。
【００１２】図２のパテントレシピ投稿会員７は４のパテントレシピウェブサイトの会員投稿入力画面８で料理レシピ情報を投稿する。
【００１３】管理本部４は投稿された料理レシピを料理スタジオで試食テスト１２を行い、優秀なパテントレシピ試食商品を食品加工メーカーやコンビニなど１３の皆様に試食会をご案内します。試食会は食品加工メーカー１３など数社が入札オークション方式を行い優秀レシピに高額の交渉権を付けた企業会員との交渉となります。ロイヤリティ契約成立後にパテントレシピの詳細な内容の開示をいたします。
【００１４】優秀なレシピの契約が成立すると、パテントレシピ商品採用発表を１０のウェブサイトで７のパテントレシピ投稿会員にお知らせします。
【００１５】１３の食品加工メーカーは、１４の全国流通店舗で、パテントレシピ商品の販売促進を１５の全国の消費者の皆さんに展開します。毎日の売り上げ状況は、４のパテントレシピ管理本部に報告が送信され、直ぐに９のパテントレシピＷｅｂサイトの売上ランキング発表となります。投稿会員や一般の主婦の皆さんは「料理レシピが報酬になる」パテントレシピは人気スマホ情報番組となり、広告宣伝媒体としては、食品加工メーカーや調味料関連メーカーに、台所家電メーカー等に大きな影響力のあるパテントレシピプロジェクトとなります。
【００１６】４のパテントレシピ管理本部から毎月月末に７の投稿会員に支払われるパテントレシピロイヤリティ報酬は  商品が食品であるために毎日売れて、累計報酬ですので  主婦の皆さんは驚きの高収入となります。パテントレシピＷｅｂサイトは  主婦の皆さんを毎日、ワクワクドキドキさせる、スマホ時代のヒット商品となります。
【発明の効果】
【００１７】パテントレシピの料理への考え方は  美味しい料理を作ることよりも  料理を作る時間を如何にワクワクする空間に仕上げるかを大切に考えています。その１は、パテントレシピは、料理技術を報酬にします。その２は、現在の料理技術はカンタンです。誰でも挑戦出来ることが大切です。昔は食材選びから調味料から難しいことがたくさん有りましたが、今や、何千種類もの冷凍食品からありとあらゆる調味料が揃っています。パテントレシピが投稿者に求めているのは、アイデア（ひらめき）と挑戦魂と料理を楽しむ心で、美味しい料理が偶然の産物で生まれてほしいものです。大手食品加工メーカーも、料理など初めての新入社員が開発室で研究を続けています。ならば  世界の主婦の皆さんが、毎日台所で料理を作っているのですから  家庭の台所を研究室に変えることで主婦の皆さんに楽しい料理の時間と報酬をプレゼントする効果が生まれます。
【図面の簡単な説明】
【図１】本発明の実施の形態に係るインターネット料理レシピ情報管理システムの一例を示す全体構成図である。
【図２】図１のインターネット料理レシピ情報管理システムを用いたパテントレシピビジネスモデルの経営概念の説明図である。
【符号の説明】１  料理レシピ投稿者の各種端末機器
２  料理レシピ投稿者の端末機器
３  インターネット（ネット網）
４  パテントレシピ管理本部システムサーバ
５  システムサーバのデータ保存部
６  システムサーバのプログラム保存部
７  パテントレシピ投稿会員
８  料理レシピ投稿入力画面
９  パテントレシピ商品売上ランキング発表サイト
１０  パテントレシピ商品契約採用発表サイト
１１  パテントレシピロイヤリティ決済管理システム
１２  試食テスト・クックスタジオ
１３  食品加工メーカー・流通企業他
１４  スーパー・コンビニ  流通販売店舗
１５  全国の消費者の皆さん
【図１】
2015210805.tif 000003
【図２】
2015210805.tif 000004
【手続補正書】
【提出日】平成26年5月22日(2014.5.22)
【手続補正１】
【補正対象書類名】特許請求の範囲
【補正対象項目名】請求項１
【補正方法】変更
【補正の内容】
【請求項１】
インターネット料理レシピ特許情報管理システム（仮称パテントレシピ）とは、レシピ投稿者が開発した料理技術であるレシピ内容を、各種スマホ・タブレット・パソコン等の端末機器でネット網を介して接続され保存される料理レシピ特許情報管理システムサーバのことです。レシピ投稿者は、料理技術をレシピ特許として情報管理する任意団体パテントレシピ（仮称）に登録申請する為に、端末機器のレシピ登録入力画面に、▲１▼レシピ名  ▲２▼料理の意匠登録として動画又はイラスト、写真  ▲３▼料理レシピの詳細な説明  ▲４▼登録申請日、時間  ▲５▼料理レシピ考案者名  等を登録することを特徴とするインターネット料理レシピ特許情報管理システムです。投稿された料理レシピ内容はパテントレシピ・クッキングスタジオで試食テストを行います。試食テスト合格の料理を全国のパテントレシピ登録企業会員へ新商品レシピ試食会の案内をし、食品加工メーカーやコンビニやスーパーの開発担当者の試食会オークションを行います。その後の商談で優秀な料理レシピの商品化の決定をし、パテントレシピ管理本部とロイヤリティ契約を結びます。食品加工メーカーなどは新商品を全国の流通店舗で販売し、毎月のパテントレシピ商品の売上に応じてロイヤリティとしてパテントレシピ管理本部に対価を支払います。管理本部はＷｅｂサイトでパテントレシピ商品の売上実績ランキング情報を会員及び不特定多数の消費者にお知らせします。パテントレシピ管理本部は、契約企業会員の販売したパテントレシピ商品売上マージンを請求し、パテントレシピ登録会員にロイヤリティの支払いを行います。
【手続補正２】
【補正対象書類名】特許請求の範囲
【補正対象項目名】請求項２
【補正方法】変更
【補正の内容】
【請求項２】
登録された料理レシピの中から優秀なレシピが商品化されて、各流通店舗で販売されます。全国のお客様のお買物での精算レジで買物レシートが渡されそのレシートにパテントレシピ投稿者のレシピ商品名が記載されていれば、「ネット宝くじ」抽選で豪華な賞品が当たるキャンペーンに参加できるチャンスとなります。買物客は、各店舗のレジ精算後のレシートを各自の端末機の宝くじ抽選アプリ（仮称）の入力画面に入力する。入力方法は、ボタンタッチやスキャナーでの読み込みやカメラ撮影での読み込みや音声での入力など、その他の方法で入力して抽選に参加する。ネット宝くじ抽選の結果、当選者は、当選者送信ボタンで宝くじ抽選システムサーバの利用者当選データベースに送信されて自動的に保存管理されます。又、利用者データベースでは、利用者の利用店舗や日時や商品別の購入合計額などの詳細な情報データもシステムサーバに保存され、さらに食品メーカーの新商品のキャンペーンでの顧客の売上実績や顧客情報が確認できるようにしたことを特徴とするインターネット料理レシピ特許情報管理システムです。